(57)【要約】【課題】  医師に対して、ピンポイントのタイミングで薬剤・医剤・検査等の宣伝を行う。【解決手段】  以下３つの機能を有するコンピュータシステムを発明した。  第一に、医師によって直接入力するという電子カルテの特性を生かし、医師が治療を開始する矢先に、入力された病名に呼応して、薬剤・医材・検査等に関する宣伝枠を電子カルテ画面上に表示する、コンピュータシステム。  第二に、ある病名、薬剤に対して禁忌の薬剤に当たる場合、宣伝予約を受けていても、宣伝枠へ掲載しない措置を自動的にとる、コンピュータシステム。  第三に、入力が行われない状態で一定時間経過すると、次に何らかの入力イベントが発生する迄の間、電子カルテ画面を、特定患者の病名を意識しない薬剤・医材・検査等の宣伝の画面に切り替え、表示する、コンピュータシステム。【選択図】  図１
2007066283.tif 000002
【特許請求の範囲】
【請求項１】
医師が患者の電子カルテを画面に取り出した時や病名を記述した時、その患者の病名が効能に当たる薬剤や、医材、検査等の名称を、ピンポイントのタイミングで画面上に表示するコンピュータシステム。
【請求項２】
患者の病名に対して効能がある薬剤でも、他に禁忌な病名を有している、或いは禁忌な薬剤を投薬中の場合は、その薬剤の名称を表示しない、又は警告する措置を自動的にとるコンピュータシステム。
【請求項３】
医師が電子カルテ入力を全くしない状態で一定時間経過すると、次に何らかの入力イベントが発生する迄の間、電子カルテ画面を、特定患者の病名を意識しない薬剤・医材・検査等の宣伝の画面に切り替え、表示するコンピュータシステム。
【発明の詳細な説明】
【技術分野】
【０００１】本発明は、医師に対して、ピンポイントのタイミングで薬剤（取引者・需要者の間で医薬品として取り扱われ、取引の対象になっている薬品を意味する。以下同様）・医材・検査等の宣伝を行う為のコンピュータシステムに関する。
【背景技術】
【０００２】医師による手書きカルテを基に、そのデータをキーパンチャーがコンピュータに入力して請求書を作成していた時代があった。しかし今や、電子カルテの出現によって、医師が直接カルテのデータをコンピュータに入力することが可能になった。【０００３】従来、製薬会社を初めとする医療関係者にとって、何らかの伝達・宣伝をするのに、医師の診療時間中は最も好タイミングであるにも関わらず、不可侵の領域であった。【０００４】電子カルテへの入力作業を効率化する、というのではなく、電子カルテをいかに活用するかについては、
【特許文献１】特開２００５−１９６３９４・
【特許文献２】特開２００３−２７１７３９・
【特許文献３】特開２００３−２５６５７１・
【特許文献４】特開２００３−１５３８６４・
【特許文献５】特開２０００−２７６５３８のように、電子カルテに入力された情報の共有や、
【特許文献６】特開２００４−０３８９１０・
【特許文献７】特開２００１−１４２９９９・
【特許文献８】特開２００１−１０１３２９・
【特許文献９】特開２０００−０６７１３９・
【特許文献１０】特開平１１−３５３４０４・
【特許文献１１】特開平１０−１７７６０５のように、診察の支援が考案されてはいる。しかし、診療時間中が医療関係者にとって不可侵の領域である、ということを解決する、電子カルテの活用方法は、未だ考案されていない。
【発明の開示】
【発明が解決しようとする課題】
【０００５】医師に対して、ピンポイントのタイミングで薬剤・医材・検査等の宣伝を行う。
【課題を解決するための手段】
【０００６】先述の、医師によって直接入力するという電子カルテの特性を生かし、
【図１】
のように、医師が治療を開始する矢先に、入力された病名に呼応して、薬剤・医材・検査等に関する宣伝枠が電子カルテ画面上に表示されるコンピュータシステムを発明した。
【０００７】更に、上記
【０００６】において、他に禁忌な病名を有している、或いは禁忌な薬剤を投薬中の場合は、その名称を表示しない、又は警告する措置を自動的にとる機能も付与した。
【０００８】また、
【図１】
のように、医師が電子カルテ入力を全く行わない状態で一定時間経過すると、次に何らかの入力イベントが発生する迄の間、電子カルテ画面を、特定患者の病名を意識しない薬剤・医材・検査等の宣伝の画面に切り替え、表示するコンピュータシステムを発明した。
【発明の効果】
【０００９】製薬会社を初めとする医療関係者にとっては、自社製品を効率よく宣伝できるのは大きな利点といえ、このコンピュータシステムが、延いては医療費のコストダウンに貢献する可能性も考えられる。また、製薬会社から医療機関に対して、薬効・併用薬・副作用等を含む質の高い情報提供がピンポイントのタイミングで頻繁になされることで、医療サービスにおける質の向上の一助ともなりうる。
【発明を実施するための形態】
【００１０】
【図２】
・
【図３】
のように、電子カルテの画面上部・或いは左側４分の１程度を外枠とし、それを６分割して内枠とする。
【図１】
のように、待機メモリーのソートキーの第一項において、入力したばかりを「０」とし、その他は「１」と設定しておく。入力されたばかりの病名を薬効とする製品を、
【図２】
・
【図３】
中「スポット１」から順に表示する。
【００１１】宣伝主は、宣伝したい薬剤・医材・検査等の名称、その効能にあたる病名、服薬にあたっての禁忌の病名・薬剤等、例えば以下に示すような内容を、予め電子カルテソフト提供側に情報提供する。電子カルテソフト提供側は、これを宣伝プログラムのデータとして暗号化し、電子カルテソフト同様にホームページ上に登録しておく。
▲１▼インターネットアドレス
▲２▼薬剤コード
▲３▼薬剤名
▲４▼会社名
▲５▼薬効・・・連続する３文字以上の病名を、最高３個まで登録する。
▲６▼薬剤一般名称
▲７▼禁忌病名・・・連続する３文字以上の病名を、最高５個まで登録する。
▲８▼禁忌薬剤・・・薬剤一般名称を、最高５個まで登録する。
▲９▼投薬上の注意事項
【００１２】宣伝主はそれぞれのホームページ上の▲１▼インターネットアドレス上に予め決められた範囲での宣伝用フォームを作成し、それをアップロードしておく。
【００１３】
【図１】
のように、診察時、医師がカルテ画面に患者の病名を入力すると、それに呼応して、効能病名としての漢字３文字×３セットを順にコンピュータが検索する。該当する薬剤・医材・検査等がシステムに登録されていた場合、禁忌の病名・薬剤の有無を自動的に確認した上で、その薬剤・医材・検査等の名称を前述の宣伝用内枠に掲載する。
【００１４】入力が行われない状態で一分経過した時、特定患者の病名を意識しない薬剤・医材・検査等の宣伝が電子カルテ画面全体に掲載される。
【実施例】
【００１５】まず、この電子カルテのソフトをインターネット上に上げ、各医療機関が無料でダウンロードして使用できるようにし、普及を図る。それと並行して宣伝主を公募する。宣伝主・宣伝内容が、特定企業、特定薬剤・医材・検査等に偏らないことを旨とする。【００１６】同一薬効に係る、異なる製薬会社の薬剤名称を複数登録して、効果的なディスプレイを企図することも可能である。もちろん同一薬剤で複数のスポット画面宣伝を行うことも出来る。
【図面の簡単な説明】
【図１】カルテが読み出されたときから、宣伝枠が掲載されるまでの流れについて説明した図。
【図２】電子カルテ画面上部４分の１に掲載する宣伝用枠を例示した図。
【図３】電子カルテ画面左側４分の１に掲載する宣伝用枠を例示した図。
【図１】
2007066283.tif 000003
【図２】
2007066283.tif 000004
【図３】
2007066283.tif 000005